(57)【要約】【課題】水槽からサスペンションを介して外箱の台板に伝達される振動を低減し、低振動、低騒音の洗濯機を提供する。【解決手段】台板１ａを有する外箱と、この外箱の内部に位置する水槽と、この水槽の内部に位置して回転駆動される回転槽と、水槽を外箱の内部で台板１ａ上に弾性支持するサスペンション７とを具備する洗濯機において、そのサスペンション７を台板１ａに取付ける取付板３１を、弾性体３４，３５で支持した。これにより、水槽からサスペンション７、弾性座板２９，３０を介して取付板３１に伝わった振動が、更に弾性体３４，３５で減衰されて台板１ａに伝わるので、水槽から台板１ａに伝達される振動をより効果的に低減し、低振動、低騒音の洗濯機を提供することができる。【選択図】図１
2014144135.tif 000002
【特許請求の範囲】
【請求項１】
台板を有する外箱と、
この外箱の内部に位置する水槽と、
この水槽の内部に位置して回転駆動される回転槽と、
前記水槽を前記外箱の内部で台板上に弾性支持するサスペンションとを具備する洗濯機において、
そのサスペンションを前記台板に取付ける取付板を、弾性体で支持したことを特徴とする洗濯機。
【請求項２】
サスペンションを台板に取付ける取付板を支持する弾性体と水槽とで構成される振動系の共振周波数を、外箱の周側板部及び台板もしくはそのうちのいずれか一方の共振周波数の１．５倍以上としたことを特徴とする請求項１記載の洗濯機。
【請求項３】
サスペンションを台板に取付ける取付板を支持する弾性体と水槽とで構成される振動系の共振周波数を、脱水運転時の回転槽の回転周波数の１．５倍以上としたことを特徴とする請求項１又は２記載の洗濯機。
【請求項４】
サスペンションを取付板に弾性座板で取付けるものであって、サスペンションを台板に取付ける取付板を支持する弾性体の共振周波数を、サスペンション及び前記弾性座板の上下方向の共振周波数並びに横方向の共振周波数とは異ならせたことを特徴とする請求項１から３のいずれか一項記載の洗濯機。
【請求項５】
サスペンションを台板に取付ける取付板を支持する弾性体の、サスペンションが傾く方向の変形を抑制する部材を具えることを特徴とする請求項１から４のいずれか一項記載の洗濯機。
【請求項６】
サスペンションを水槽に取付ける取付板を、弾性体で支持したことを特徴とする請求項１から５のいずれか一項記載の洗濯機。
【請求項７】
サスペンションを台板に取付ける取付板を弾性体で支持するのに代えて、サスペンションを台板に取付ける取付板を弾性体で構成したことを特徴とする請求項１から６のいずれか一項記載の洗濯機。
【請求項８】
サスペンションを台板に取付ける、弾性体で構成した取付板が、サスペンションを取付板に取付ける弾性座板を兼ねることを特徴とする請求項７記載の洗濯機。
【発明の詳細な説明】
【技術分野】
【０００１】
本発明の実施形態は洗濯機に関する。
【背景技術】
【０００２】
従来より、洗濯機、中でもドラム式洗濯機においては、台板を有する外箱の内部に水槽が位置し、この水槽の内部に回転槽であるドラムが位置していて、このドラムが水槽外のモータにより回転駆動されるようになっている。又、水槽は、外箱の内部で前記台板上にサスペンションにより弾性支持して設けられており、サスペンションは専用の取付板に取付けられ、この取付板が台板に取付けられることで、結局、サスペンションは専用の取付板で台板に取付けられている（例えば特許文献１参照）。
【先行技術文献】
【特許文献】
【０００３】
【特許文献１】特開２００５−２４５５７７号公報
【発明の概要】
【発明が解決しようとする課題】
【０００４】
図８は、脱水運転時におけるドラムの回転速度の変化を（ａ）に示し、水槽の共振の変化の様子を（ｂ）に示している。この図８の（ａ）に示すように、脱水運転時、ドラムの回転は、最初に洗濯物をドラムの内周面に均等に張り付けるべくほゞ一定の低速回転をし、次いで、回転速度を少し上げた後、水槽内に溜まった水を排出すべく一定速度の回転をして、更に回転速度を少し上げ、その後に再度水槽内に溜まった水を排出すべく一定速度の回転をして、回転速度を上げ、一定速度の回転をして、回転速度を上げ、高速回転をするというようになっている。
【０００５】
このようにドラムの回転速度を順に上げていくと、上げるたびに、図７の（ｂ）に示すように、水槽の左右方向、前後方向、上下方向の共振が現れてくる。これらの水槽の共振は、製品の振動系構成部品の特性によって異なるが、例えば、左右方向の共振が１８０〔ｒｐｍ〕、前後方向の共振が２００〔ｒｐｍ〕、上下方向の共振が２２０〔ｒｐｍ〕というように異なる回転速度で現れるのが一般的であり、おおよそ４００〔ｒｐｍ〕を越えると共振は終了する。
【０００６】
しかしながら、水槽ではなく、筐体（外箱）としての振動系を考えた場合、筐体本体（質量系）と、筐体を支持するために設置されたゴム脚（弾性及び減衰系）により構成される振動系の共振があり、筐体本体は、例えば６００〔ｒｐｍ〕付近に共振周波数がある場合、ドラムの回転速度が６００〔ｒｐｍ〕付近のとき、大きく振動する。又、筐体を構成する外箱の前側板部や後側板部及び左側板部や右側板部という周側板部の共振周波数（例えば１０００〜１３００〔ｒｐｍ〕）付近でドラムが回転すると、その周側板部が振動し、結果的に騒音を発生することがある。
【０００７】
又、ドラムの回転が高速脱水をする速度（１０００〜１８００〔ｒｐｍ〕）に到達した際には、ドラム内の洗濯物の偏在によるアンバランス量に応じた水槽の振動がサスペンションから外箱の台板に伝達され、筐体騒音、並びに台板から洗濯機設置面の床へ振動が加わることによる騒音が発生する。
【０００８】
そこで、水槽から外箱の台板に伝達される振動を低減し、低振動、低騒音の洗濯機を提供する。
【課題を解決するための手段】
【０００９】
本実施形態の洗濯機は、台板を有する外箱と、この外箱の内部に位置する水槽と、この水槽の内部に位置して回転駆動される回転槽と、前記水槽を前記外箱の内部で台板上に弾性支持するサスペンションとを具備するものにおいて、そのサスペンションを前記台板に取付ける取付板を、弾性体で支持したことを特徴とする。
【図面の簡単な説明】
【００１０】
【図１】第１の実施形態を示す主要部分の平面図（ａ）と縦断側面図（ｂ）
【図２】洗濯機全体の、一部を破断した縦断側面図
【図３】サスペンション単体の縦断面図
【図４】水槽から台板に伝達される振動の特性図
【図５】第２の実施形態を示す図１相当図
【図６】第３の実施形態を示す主要部分の縦断側面図
【図７】第４の実施形態を示す図１相当図
【図８】脱水行程時におけるドラムの回転速度の変化を示す図（ａ）と、水槽の共振の変化の様子を示す図（ｂ）
【発明を実施するための形態】
【００１１】
以下、ドラム式洗濯乾燥機に適用した第１の実施形態につき、図１から図７を参照して説明する。
まず、図２には、ドラム式洗濯乾燥機の全体構造を示しており、筐体である外箱１を外殻としている。この外箱１は、最下部に台板１ａを有しており、この台板１ａの外下面に複数のゴム脚１ｂを有している。外箱１の前側板部（図３で右側）のほゞ中央部には、洗濯物出入口２を形成しており、該出入口２に対しては、それを開閉する扉３を設けている。又、外箱１の前側板部の上部には、操作パネル４を設けており、その裏側（外箱１内）に運転制御用の制御装置５を設けている。
【００１２】
外箱１の内部には、水槽６を配設している。この水槽６は軸方向が前後（図３で右左）の横軸円筒状を成すものであり、それを外箱１の台板１ａ上に、左右一対（左側の一方のみ図示）のサスペンション７によって前上がりの傾斜状にて弾性支持している。サスペンション７の詳細構造は、後に述べる。
水槽６の背部にはモータ８を取付けている。このモータ８は、この場合、例えば直流のブラシレスモータであって、アウターロータ形であり、ロータ８ａの中心部に取付けた回転軸（図示省略）を、軸受ハウジング９を介して水槽６の内部に挿入している。
【００１３】
水槽６の内部には、ドラム１０を配設している。このドラム１０も軸方向が前後の横軸円筒状を成すもので、それを後部の中心部で上記モータ８の回転軸の先端部に取付けることにより、水槽６と同軸の前上がりの傾斜状に支持している。又、その結果、ドラム１０はモータ８により回転されるようになっており、従って、ドラム１０は回転槽であり、モータ８はドラム１０を回転させるドラム駆動装置として機能するようになっている。
【００１４】
ドラム１０の周側部（胴部）には、小孔１１を全域にわたって多数（一部のみ図示）形成している。又、ドラム１０及び水槽６は、ともに前面部に開口部１２，１３を有しており、そのうちの水槽６の開口部１３に、環状のベローズ１４を介して前記洗濯物出入口２を連ねている。この結果、洗濯物出入口２は、ベローズ１４、水槽６の開口部１３、及びドラム１０の開口部１２を介して、ドラム１０の内部に連なっている。
【００１５】
水槽６の最低部である底部の後部には、排水弁１５を介して、排水管１６を接続している。又、水槽６の背部から上方そして前方には、乾燥ユニット１７を配設している。この乾燥ユニット１７は、除湿器１８と、送風装置１９、及び加熱装置２０を有しており、水槽６内の空気を除湿し、次いで加熱して、水槽６内に戻す循環を行わしめることにより、洗濯物を乾燥させるようになっている。
【００１６】
ここで、サスペンション７の詳細構造を述べる。サスペンション７は、図３に示すように、大別すると、ダンパ２１とスプリング２２とで構成しており、そのうちのダンパ２１は、シャフト２３とシリンダ２４とを具えている。シリンダ２４は、主として、外筒２４ａ及び内筒２４ｂと、外筒２４ａの軸方向（上下）両端の開口部を閉塞するキャップ２４ｃ，２４ｄ、及び内筒２４ｂの同じく軸方向両端の開口部を閉塞するシール２４ｅ，２４ｆから成っている。
【００１７】
シャフト２３の上端部にはピストンバルブ２５を取付けており、このピストンバルブ２５と共にシャフト２３の上部を内筒２４ｂ内に軸方向移動可能に挿入し、該シャフト２３のピストンバルブ２５下の部分を、シール２４ｆ、軸受２６、及びキャップ２４ｄを通してシリンダ２４外の下方に突出させている。ピストンバルブ２５は、外周面が内筒２４ｂの内周面に密接するものであり、その外周面近くに、軸方向に開通するオリフィス孔２５ａを複数有している。
【００１８】
シリンダ２４の内筒２４ｂ内には、ピストンバルブ２５の上下両方にオイル２７を充填しており、すなわち、本実施形態のダンパ２１は、オイルダンパであって、オイル２７は、オリフィス孔２５ａ内にも充填している。
前記シリンダ２４外の下方に突出したシャフト２３の下端近くの部分にはばね受け座２８を取付け、このばね受け座２８とシリンダ２４の下端部との間に前記スプリング（圧縮コイルばね）２２を介在させている。
以上により、サスペンション７を組立て構成している。
【００１９】
そして、シャフト２３は、下端部に取付部２３ａを有しており、この取付部２３ａを、図１に示すように、上下の弾性座板２９，３０を介して取付板３１に挿通し、その下方突出端部にナット３２を螺合して締付けることにより、取付板３１にシャフト２３の取付部２３ａを取付けている。
【００２０】
弾性座板２９，３０は減衰特性に優れたブチルゴム等の弾性材から成っており、ともに短円柱状のものにて、取付板３１を上下から挟み、且つ、その中央部分で取付板３１を貫通して互いに結合され、その結合した部分の中心部をシャフト２３の取付部２３ａが貫通している。
取付板３１は、鋼板等の剛板から成るもので、矩形板状のものであり、中央部に上記弾性座板の結合部分を挿通させる孔３１ａを有し、左右の両側部にねじ挿通孔３１ｂを有している。
【００２１】
これらに対して、外箱１の前記台板１ａには、サスペンション取付座３３を起立させて形成しており、このサスペンション取付座３３は、門形にて、上部の中央部に弾性座板挿通孔３３ａを有し、上部の左右両側部にねじ挿通孔３３ｂを有している。又、ねじ挿通孔３３ｂの直下にはねじ螺着用ボス３３ｃを有している。
【００２２】
この構成で、上方より、弾性座板挿通孔３３ａに下方の弾性座板３０を挿通し、取付板３１の左右両側部を、それぞれ弾性体（第１の弾性体）３４を介して、サスペンション取付座３３の上部の左右両側部上に載置している。弾性体３４は、弾性座板２９，３０と同様に減衰特性に優れたブチルゴム等の弾性材から成っており、この場合、取付板３１の左右両側部と同等大の矩形の厚みあるシート状を成していて、取付板３１のねじ挿通孔３１ｂ下の位置であって且つサスペンション取付座３３のねじ挿通孔３３ｂ上の位置に、ねじ挿通孔３４ａを有している。
【００２３】
次いで、取付板３１の左右両側部上に弾性体（第２の弾性体）３５を載置している。この弾性体３５も、ブチルゴム等の弾性材から成っており、この場合、弾性体３４より小さな円形の厚みあるシート状を成していて、取付板３１のねじ挿通孔３１ｂ上の位置にねじ挿通孔３５ａを有している。
【００２４】
この後、上方より、ねじ３６を、弾性体３５のねじ挿通孔３５ａ、取付板３１のねじ挿通孔３１ｂ、弾性体３４のねじ挿通孔３４ａに通して、ねじ螺着用ボス３３ｃに螺挿することにより、取付板３１を弾性体３４，３５を介してサスペンション取付座３３に取付け、ひいてはサスペンション７を弾性体３４，３５を介して外箱１の前記台板１ａに取付けることにより、サスペンション７を台板１ａに取付ける取付板３１を、弾性体３４，３５で支持している。
なお、既述のように、サスペンション７は左右一対存在するものであり、その双方で上述の構成を採用している。
【００２５】
一方、シリンダ２４の上端部には、図３に示す取付部材３７を設けており、この取付部材３７を、図２に示すように、前記水槽６に設けた取付板３８に、前記弾性座板２９，３０同様の弾性座板３９，４０を介して、ナット４１で締結することにより、シリンダ２４を取付板３８に取付け、ひいては水槽６に取付けており、このようにして水槽６を外箱１の台板１ａ上にサスペンション７を介在させて取付けている。
【００２６】
次に、上記構成のものの作用を述べる。
上記構成のドラム式洗濯乾燥機においては、操作パネル４の操作に基づき、制御装置５が運転を開始させると、標準的には洗濯、脱水、及び乾燥が行われる。
そのうち、洗濯は、図示しない給水弁から水槽６内への所定水位の給水が行われた後に、ドラム１０がモータ８により正逆両方向に交互に低速回転されることにより行われるもので、それにより、ドラム１０内にあらかじめ収容された洗濯物が上昇されてから落下されること（タンブリング）が繰返されて撹拌され、洗浄される。
【００２７】
洗濯物の洗濯には、洗剤を含む水で洗浄する洗いと、清水で洗浄するすすぎとがあり、そのいずれの場合にも、上述の運転が行われ、それらの終了後には、排水弁１５が開放されて水槽６内の水を排水管１６を通じ機外に排出する排水が行われる。
次いで、脱水は、排水弁１５を開放させたまま、ドラム１０がモータ８により一方向に高速回転されることにより行われるもので、それにより、ドラム１０内の洗濯後の洗濯物が小孔１１を通して遠心脱水される。
【００２８】
そして、乾燥は、ドラム１０がモータ８により正逆両方向に交互に低速回転されると同時に、乾燥ユニット１７が作動されることにより行われるもので、乾燥ユニット１７では、前述のように、水槽６内の空気が、送風装置１９で循環される状況で、除湿器１８で除湿され、次いで加熱装置２０で加熱されて、水槽６内に戻されることを繰返すことにより、ドラム１０内の脱水後の洗濯物が乾燥される。
【００２９】
このようなドラム式洗濯乾燥機の運転の中で、ドラム１０が回転されるときには、ドラム１０が振動し、中でもドラム１０が高速回転される脱水時に大きく振動する。更にその場合、ドラム１０内の洗濯物に偏在があれば、ドラム１０は偏荷重のために一層大きく振動する。このようにドラム１０が振動すると、ドラム１０を収容して該ドラム１０と一体化した水槽６も振動する。
【００３０】
ドラム１０及び水槽６の振動、中でも上下方向の振動に対しては、水槽６と一体にサスペンション７におけるダンパ２１のシリンダ２４がスプリング２２の伸縮を伴いつつ軸方向の上下に往復動する。このとき、シリンダ２４内のオイル２７中をピストンバルブ２５が相対的に上下に往復動することにより、ピストンバルブ２５のオリフィス孔２５ａをオイル２７が通過する。ここで、オイル２７の粘性により、サスペンション７において減衰力が発生し、水槽６の振幅を減衰させる。
【００３１】
そして、サスペンション７の、スプリング２２を伸縮させての振動は、外箱１の台板１ａに対するサスペンション７の取付部分においては、従来のものでは、弾性体３４，３５を有しないため、弾性座板２９，３０でのみ減衰され、残りがすべて取付板３１を介して台板１ａに伝わっていた。
【００３２】
それに対して、上記構成のものでは、サスペンション７を台板１ａに取付ける取付板３１を、弾性体３４，３５で支持しており、サスペンション７から弾性座板２９，３０を介して取付板３１に伝わった振動が、更に弾性体３４，３５で減衰された後に台板１ａに伝わる。詳細には、取付板３１からサスペンション取付座３３のねじ螺着用ボス３３ｃを介して台板１ａに直接的に伝わる振動が、主として下方の弾性体３４で減衰され、取付板３１からねじ３６を経て同じくねじ螺着用ボス３３ｃを介し台板１ａに伝わる振動が、上方の弾性体３５で減衰される。このようにして、上記構成のものでは、水槽６から外箱１の台板１ａに伝達される振動をより効果的に低減し、低振動、低騒音の洗濯乾燥機を提供することができる。
【００３３】
ここで、上記構成の、サスペンション７を台板１ａに取付ける取付板３１を弾性体３４，３５で支持したものにおける、水槽６から台板１ａに伝達される振動の伝達特性（伝達率曲線）を図４に示す。水槽６の質量ｍ、弾性体３４，３５のばね定数ｋから、それら水槽６−弾性体３４，３５の振動系が構成され、共振周波数ｆｎ＝（１／２）π√（ｋ／ｍ）が決まるが、図４から分かるように、共振周波数の１．４倍を超える周波数では、弾性体３４，３５により振動や力の伝達を減衰できる領域となる。
【００３４】
詳細には、図４で、振動や力の伝達率が１．００であるところの伝達率曲線上の位置Ｐが、弾性体３４，３５を有しない従来のものであり、この場合の共振周波数は１．４倍である。この共振周波数の１．４倍を超える周波数では、振動や力の伝達率が０．３３、０．１３・・・と漸次減少する。従って、共振周波数の１．４倍を超える周波数では、弾性体３４，３５により振動や力の伝達を減衰できる領域となるのである。
よって、減衰したい周波数が、共振周波数の１．５倍以上となるように弾性体３４，３５を設計することで、従来のサスペンション取付構造に比して、台板１ａに伝達される振動が低減されるため、外箱１の低振動化、低騒音化をより確実に実現することができる。
【００３５】
具体的には、例えば６００〔ｒｐｍ〕（１０〔Ｈｚ〕）で生じる外箱１−ゴム脚１ｂから成る振動系の振動を低減したいのであれば、弾性体３４，３５の共振周波数を、１０〔Ｈｚ〕の１．５倍以上である１５〔Ｈｚ〕以上となるように、弾性体３４，３５の特性や形状を設計すれば良いのである。この場合、振動を低減したい外箱１−ゴム脚１ｂから成る振動系については、対象が外箱１の前側板部や後側板部及び左側板部や右側板部という周側板部及び台板１ａであり、もしくはそのうちのいずれか一方である。
【００３６】
同様に、脱水運転時の外箱１の振動、床への振動の伝達を低減したい場合、ドラム１０の回転速度が１８００〔ｒｐｍ〕（３０〔Ｈｚ〕）とすれば、弾性体３４，３５の共振周波数を、３０〔Ｈｚ〕の１．５倍以上である４５〔Ｈｚ〕以上となるように、弾性体３４，３５の特性や形状を設計すれば良いのである。
【００３７】
又、サスペンション７を取付板３１に弾性座板２９，３０で取付ける上記構成のものにおいては、サスペンション７のばね定数と減衰係数、並びに弾性座板２９，３０のばね定数と減衰係数が存在する。このため、上記水槽６−弾性体３４，３５の振動系の共振周波数と、その他の振動系要素部品であるサスペンション７及び弾性座板２９，３０の上下方向の共振周波数並びに左右前後など横方向の共振周波数とが一致すると、特定の周波数で振動が増加する可能性がある。よって、水槽６−弾性体３４，３５の振動系の共振周波数と、その他の振動系要素部品（サスペンション７及び弾性座板２９，３０）の上下方向の共振周波数並びに横方向の共振周波数とが一致しないように、弾性体３４，３５を設計することで、振動の増加を回避することができる。
【００３８】
以上に対して、図５から図７は第２から第４の実施形態を示すもので、それぞれ、第１の実施形態と同一もしくは同様の部分には同一の符号を付して説明を省略し、異なる部分についてのみ述べる。
【００３９】
［第２の実施形態］
図５に示す第２の実施形態においては、台板１ａのサスペンション取付座５１が周側壁５１ａとねじ螺着用ボス５１ｂを有して成るものであり、そのねじ螺着用ボス５１ｂ上に、前記弾性体３４に代わる主弾性体として弾性体５２を載置している。この弾性体５２は、前記弾性体３４よりも厚くて２つのねじ螺着用ボス５１ｂ上に１枚でわたる横長矩形のシート状を成すものであり、左右両側部のそれぞれ取付板３１のねじ挿通孔３１ｂ下の位置であって且つねじ螺着用ボス５１ｂ上の位置に、ねじ３６を通すねじ挿通孔５２ａを有している。
【００４０】
そして、台板１ａ上には、弾性体５２を四方から囲う囲い壁５３を形成しており、この囲い壁５３で弾性体５２の前後左右など横方向の変形を抑止するようにしている。
サスペンション７から取付板３１に伝わる振動や力は、サスペンション７のシャフト２３、スプリング２２が変異する上下方向の割合が横方向に比して圧倒的に多く、前記弾性体３４，３５及び本実施形態の弾性体５２は、前述のようにそれに対して有効に機能するものの、サスペンション７を横方向に傾かせる変形が増加する可能性がある。
【００４１】
それに対して、本実施形態の囲い壁５３は、弾性体５２の前後左右など横方向の変形を抑止するものであり、すなわち、弾性体５２の、サスペンション７が傾く方向の変形を抑制する部材（変形抑制部材）として機能するものであり、それによって、サスペンション７の上下方向の振動や力を効果的に減衰する効果を発揮しつつ、サスペンション７の横方向の傾き、ひいては水槽６の横方向の振動をも抑制することができるようになる。
【００４２】
［第３の実施形態］
図６に示す第３の実施形態においては、サスペンション７を水槽６に取付ける取付板３８をも、弾性体６１，６２で支持している。この弾性体６１，６２は、前記弾性体３４，３５と同様のものであり、その組込み構造も第１の実施形態と同様である。
なお、図６において、水槽６に設けたサスペンション取付座６３、ねじ螺着用ボス６３ａ、ねじ６４は、それぞれ、第１の実施形態のサスペンション取付座３３、ねじ螺着用ボス３３ｃ、ねじ３６と同様のものである。
【００４３】
このようにすることにより、水槽６の振動は、先に弾性体６１，６２により減衰されて取付板３８に伝わり、その後に、弾性座板３９，４０で減衰されてサスペンション７に伝わるようになる。これにより、サスペンション７から台板１ａに伝わる振動を一段と低減できる。
【００４４】
［第４の実施形態］
図７に示す第４の実施形態においては、サスペンション７を台板１ａに取付ける取付板３１を弾性体３４，３５で支持するのに代えて、サスペンション７を台板１ａに取付ける取付板７１を弾性体で構成しており、従って、取付板７１は前記弾性体３４，３５，５２と同様に減衰特性に優れたブチルゴム等の弾性材から成っている。
【００４５】
加えて、この場合、取付板７１は、サスペンション７を取付板７１に取付ける弾性座板を兼ねるものでもあり、従って、前記弾性座板２９，３０は用いず、サスペンション７のシャフト２３（取付部２３ａ）は取付板７１にナット３２とナット７２とで、取付板７１を上下から挟んで取付けている。
そのほか、取付板７１とナット７２との間にはワッシャ７３を介在させ、取付板７１とねじ３６の各頭部との間にはワッシャ７４を介在させている。
【００４６】
このようにしても第１実施例同様の振動減衰効果を得ることができて、サスペンション７から台板１ａへの振動や力の伝達を低減することができる。
又、特に取付板７１がサスペンション７を取付板３１に取付ける弾性座板を兼ねる構成では、横方向の剛性を高め得るため、サスペンション７の横方向の傾き、ひいては水槽６の横方向の振動をも抑制するのに効果を発揮するようになる。
【００４７】
以上説明した洗濯機は、上記実施形態にのみ限定されるものではなく、特に洗濯機全体としては、ドラム式には限られず、水槽と回転槽を縦軸状に有する縦軸形洗濯機にも同様に適用して実施できるし、乾燥機能を有していなくでも良いなど、要旨を逸脱しない範囲内で適宜変更して実施し得る。
【００４８】
そのほか、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４９】
図面中、１は外箱、１ａは台板、６は水槽、７はサスペンション、８はモータ、１０はドラム（回転槽）、２９，３０は弾性座板、３１は取付板、３４，３５は弾性体、５３は囲い壁（サスペンションが傾く方向の変形を抑制する部材）、３８は取付板、６１，６２は弾性体、７１は取付板を示す。
【図１】
2014144135.tif 000003
【図２】
2014144135.tif 000004
【図３】
2014144135.tif 000005
【図４】
2014144135.tif 000006
【図５】
2014144135.tif 000007
【図６】
2014144135.tif 000008
【図７】
2014144135.tif 000009
【図８】
2014144135.tif 000010